(57)【要約】【課題】オートフォーカス撮影において自動的に合焦させることができずに撮影した画像であることをユーザに適切に通知することができる撮像装置を提供することができる。【解決手段】本発明に係る撮像装置は、撮像部に画像を撮像させるべき旨の指示を受け付ける撮像指示受付部と、撮像指示受付部が指示を受付けた場合に、撮像部の撮像領域内の予め定められた合焦点で被写体に合焦させるべく合焦距離を自動的に調整する合焦距離調整部と、合焦距離調整部が合焦距離を調整した後に撮像部に画像を撮像させる撮像制御部と、合焦距離調整部が合焦距離を調整した合焦点において、撮像部と被写体との位置関係が所定の条件に適合するか否かを判断する条件判断部と、条件判断部が所定の条件でないと判断した場合に、撮像部が撮像した画像に対応づけて、合焦距離調整部による合焦距離の調整が適切でない可能性があることを示す情報を出力する出力部とを備える。【選択図】図２
2008113310.tif 000002
【特許請求の範囲】
【請求項１】
画像を撮像する撮像部と、
前記撮像部に画像を撮像させるべき旨の指示を受け付ける撮像指示受付部と、
前記撮像指示受付部が指示を受け付けた場合に、前記撮像部の撮像領域内の予め定められた合焦点で被写体に合焦させるべく前記撮像部の合焦距離を自動的に調整する合焦距離調整部と、
前記合焦距離調整部が合焦距離を自動的に調整した後に、前記撮像部に画像を撮像させる撮像制御部と、
前記合焦距離調整部が前記撮像部の合焦距離を自動的に調整した合焦点において、前記撮像部と被写体との位置関係が予め定められた条件に適合するか否かを判断する条件判断部と、
前記条件判断部が予め定められた条件でないと判断した場合に、前記撮像部が撮像した画像に対応づけて、前記合焦距離調整部による合焦距離の調整が適切でない可能性があることを示す情報を出力する出力部と
を備える撮像装置。
【請求項２】
前記条件判断部は、前記合焦距離調整部が前記撮像部の合焦距離を自動的に調整した合焦点において、前記撮像部と前記被写体との距離が予め定められた範囲内であるという条件に適合するか否かを判断し、
前記出力部は、前記撮像部と前記被写体との距離が予め定められた範囲内であるという条件に適合しないと判断した場合に、前記撮像部が撮像した画像に対応づけて、前記合焦距離調整部による合焦距離の調整が適切でない可能性があることを示す情報を出力する
請求項１に記載の撮像装置。
【請求項３】
前記撮像部の撮像領域内の予め定められた複数の合焦点において、前記撮像部と前記被写体との距離を測定する測距部と、
前記測距部が測定した距離、及び前記撮像部の撮像領域における前記複数の合焦点の位置に基づいて、前記複数の合焦点のうちから予め定められたアルゴリズムによって１つの合焦点を選択する合焦点選択部と
をさらに備え、
前記合焦距離調整部は、前記合焦点選択部が選択した合焦点で前記被写体に合焦させるべく前記撮像部の合焦距離を自動的に調整する
請求項２に記載の撮像装置。
【請求項４】
前記撮像部の合焦距離を段階的に変化させながら前記撮像部に複数の予備画像を撮像させ、段階的に撮像された複数の予備画像におけるコントラスト値の変化を算出するコントラスト値変化算出部
をさらに備え、
前記合焦距離調整部は、前記コントラスト値変化算出部が算出したコントラスト値の変化が極大値となるときの前記撮像部の合焦距離に自動的に調整し、
前記条件判断部は、前記コントラスト変化値算出部が算出したコントラスト値の変化における極大値が１つであるという条件に適合するか否かを判断する
請求項１に記載の撮像装置。
【請求項５】
前記コントラスト値変化算出部は、前記撮像部の合焦距離を段階的に変化させながら前記撮像部に複数の予備画像を撮像させ、段階的に撮像された複数の予備画像において、前記撮像部の撮像領域内の予め定められた複数の合焦点のそれぞれを含む複数の合焦領域のそれぞれにおけるコントラスト値の変化を算出し、
前記撮像装置は、
前記コントラスト値変化算出部が算出した前記複数の合焦領域のそれぞれのコントラスト値の変化、及び前記撮像部の撮像領域における前記複数の合焦点の位置に基づいて、前記複数の合焦点のうちから予め定められたアルゴリズムによって１つの合焦点を選択する合焦点選択部
をさらに備え、
前記合焦距離調整部は、前記合焦点選択部が選択した合焦点で前記被写体に合焦させるべく前記撮像部の合焦距離を自動的に調整する
請求項４に記載の撮像装置。
【請求項６】
前記出力部は、前記合焦点選択部が選択した合焦点の、前記撮像部の撮像領域における位置を、前記撮像部が撮像した画像に対応づけて出力する
請求項３又は請求項５に記載の撮像装置。
【請求項７】
前記複数の合焦点のうち、前記合焦点選択部が選択した合焦点における被写体までの距離と、前記複数の合焦点における被写体までの距離との差が、予め定められた範囲内である合焦点を特定する合焦点特定部
をさらに備え、
前記出力部は、前記合焦点特定部が特定した合焦点の、前記撮像部の撮像領域における位置を、前記撮像部が撮像した画像に対応づけてさらに出力する
請求項６に記載の撮像装置。
【請求項８】
前記出力部は、前記合焦距離調整部による合焦距離の調整が適切でない可能性があることを示す情報を、前記撮像部が撮像した画像に付帯して出力する
請求項１に記載の撮像装置。
【請求項９】
前記出力部は、前記合焦距離調整部による合焦距離の調整が適切でない可能性があることを示す用語を含むファイル名を、前記撮像部が撮像した画像に付与する
請求項１に記載の撮像装置。
【請求項１０】
前記出力部は、前記条件判断部が予め定められた条件でないと判断した場合と、前記条件判断部が予め定められた条件でないと判断した場合とで、前記撮像部が撮像した画像を異なるディレクトリに格納する
請求項１に記載の撮像装置。
【請求項１１】
前記撮像部が撮像した画像に含まれる、予め定められたオブジェクトの領域を抽出するオブジェクト領域抽出部
をさらに備え、
前記条件判断部は、前記オブジェクト領域抽出部が抽出したオブジェクトの領域の中に、前記合焦距離調整部が前記撮像部の合焦距離を自動的に調整した合焦点が含まれるか否かをさらに判断し、
前記出力部は、前記条件判断部が予め定められた条件であると判断した場合であっても、前記オブジェクト領域抽出部が抽出したオブジェクトの領域の中に、前記合焦距離調整部が前記撮像部の合焦距離を自動的に調整した合焦点が含まれないと判断した場合に、前記撮像部が撮像した画像に対応づけて、前記合焦距離調整部による合焦距離の調整が適切でない可能性があることを示す情報を出力する
請求項１に記載の撮像装置。
【請求項１２】
画像を撮像する撮像部において画像を撮像させるべき旨の指示を受け付ける撮像指示受付段階と、
前記撮像指示受付段階において指示が受け付けられた場合に、前記撮像部の撮像領域内の予め定められた合焦点で被写体に合焦させるべく前記撮像部の合焦距離を自動的に調整する合焦距離調整段階と、
前記合焦距離調整段階において合焦距離を自動的に調整された後に、前記撮像部に画像を撮像させる撮像制御段階と、
前記合焦距離調整段階において前記撮像部の合焦距離を自動的に調整した合焦点において、前記撮像部と被写体との位置関係が予め定められた条件に適合するか否かを判断する条件判断段階と、
前記条件判断段階において予め定められた条件でないと判断された場合に、前記撮像部が撮像した画像に対応づけて、前記合焦距離調整段階における合焦距離の調整が適切でない可能性があることを示す情報を出力する出力段階と
を備える撮像方法。
【請求項１３】
画像を撮像する撮像装置用のプログラムであって、当該撮像装置を、
画像を撮像する撮像部、
前記撮像部に画像を撮像させるべき旨の指示を受け付ける撮像指示受付部、
前記撮像指示受付部が指示を受け付けた場合に、前記撮像部の撮像領域内の予め定められた合焦点で被写体に合焦させるべく前記撮像部の合焦距離を自動的に調整する合焦距離調整部、
前記合焦距離調整部が合焦距離を自動的に調整した後に、前記撮像部に画像を撮像させる撮像制御部、
前記合焦距離調整部が前記撮像部の合焦距離を自動的に調整した合焦点において、前記撮像部と被写体との位置関係が予め定められた条件に適合するか否かを判断する条件判断部、
前記条件判断部が予め定められた条件でないと判断した場合に、前記撮像部が撮像した画像に対応づけて、前記合焦距離調整部による合焦距離の調整が適切でない可能性があることを示す情報を出力する出力部
として機能させるプログラム。
【請求項１４】
撮像装置が撮像した画像を、前記画像の撮像時において前記撮像装置の合焦距離が調整された合焦点の前記画像における位置に対応づけて格納する画像格納部と、
前記画像格納部が格納している画像に含まれる、予め定められたオブジェクトの領域を抽出するオブジェクト領域抽出部と、
前記オブジェクト領域抽出部が抽出したオブジェクトの領域の中に、前記画像格納部が格納している画像に対応づけられた合焦点の位置が含まれるか否かを判断する条件判断部と、
前記オブジェクト領域抽出部が抽出したオブジェクトの領域の中に、前記画像格納部が格納している画像に対応づけられた合焦点の位置が含まれないと前記条件判断部が判断した場合に、前記画像格納部が格納している画像に対応づけて、撮像時における合焦距離の調整が適切でない可能性があることを示す情報を出力する出力部と
を備える画像管理装置。
【請求項１５】
撮像装置が撮像した画像を、前記画像の撮像時において前記撮像装置の合焦距離が調整された合焦点の前記画像における位置に対応づけて格納する画像格納段階と、
前記画像格納段階において格納されている画像に含まれる、予め定められたオブジェクトの領域を抽出するオブジェクト領域抽出段階と、
前記オブジェクト領域抽出段階において抽出されたオブジェクトの領域の中に、前記画像格納段階において格納されている画像に対応づけられた合焦点の位置が含まれるか否かを判断する条件判断段階と、
前記オブジェクト領域抽出段階において抽出されたオブジェクトの領域の中に、前記画像格納段階において格納されている画像に対応づけられた合焦点の位置が含まれないと前記条件判断段階において判断された場合に、前記画像格納段階において格納されている画像に対応づけて、撮像時における合焦距離の調整が適切でない可能性があることを示す情報を出力する出力段階と
を備える画像管理方法。
【請求項１６】
画像管理装置用のプログラムであって、前記画像管理装置を、
撮像装置が撮像した画像を、前記画像の撮像時において前記撮像装置の合焦距離が調整された合焦点の前記画像における位置に対応づけて格納する画像格納部、
前記画像格納部が格納している画像に含まれる、予め定められたオブジェクトの領域を抽出するオブジェクト領域抽出部、
前記オブジェクト領域抽出部が抽出したオブジェクトの領域の中に、前記画像格納部が格納している画像に対応づけられた合焦点の位置が含まれるか否かを判断する条件判断部、
前記オブジェクト領域抽出部が抽出したオブジェクトの領域の中に、前記画像格納部が格納している画像に対応づけられた合焦点の位置が含まれないと前記条件判断部が判断した場合に、前記画像格納部が格納している画像に対応づけて、撮像時における合焦距離の調整が適切でない可能性があることを示す情報を出力する出力部
として機能させるプログラム。
【発明の詳細な説明】
【技術分野】
【０００１】
本発明は、撮像装置、撮像方法、画像管理装置、画像管理方法、及びプログラムに関する。特に本発明は、画像を撮像する撮像装置及び撮像方法、画像を管理する画像管理装置及び画像管理方法、並びに撮像装置及び画像管理装置用のプログラムに関する。
【背景技術】
【０００２】
オートフォーカス機能によって焦点が合った場合に出力されるコントラスト情報と、実際にシャッタが押されて撮影されたときに出力されるコントラスト情報との差を計算して、この差から実際に撮影された画像の焦点が合っているか否かを判断して、その情報を撮影画像に付加するデジタルカメラが記載されている（例えば、特許文献１参照。）。
【特許文献１】特開２００４−３２０３１６号公報
【特許文献２】特開２００１−２５６４９８号公報
【特許文献３】特開平５−１２７２７０号公報
【発明の開示】
【発明が解決しようとする課題】
【０００３】
しかしながら、オートフォーカスにおいて焦点をうまく合わせることができなかった場合には良好なコントラストが得られない場合がある。このような場合、実際に撮影したときに十分に焦点が合っていなくても、焦点が合っていると判断されてしまう場合がある。このような場合、ユーザは、警告を受けないので、焦点が合っていないにもかかわらず印刷を実行してしまう虞がある。
【０００４】
そこで本発明は、上記課題を解決することができる撮像装置、撮像方法、画像管理装置、画像管理方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態における撮像装置は、画像を撮像する撮像部と、撮像部に画像を撮像させるべき旨の指示を受け付ける撮像指示受付部と、撮像指示受付部が指示を受け付けた場合に、撮像部の撮像領域内の予め定められた合焦点で被写体に合焦させるべく撮像部の合焦距離を自動的に調整する合焦距離調整部と、合焦距離調整部が合焦距離を自動的に調整した後に、撮像部に画像を撮像させる撮像制御部と、合焦距離調整部が撮像部の合焦距離を自動的に調整した合焦点において、撮像部と被写体との位置関係が予め定められた条件に適合するか否かを判断する条件判断部と、条件判断部が予め定められた条件でないと判断した場合に、撮像部が撮像した画像に対応づけて、合焦距離調整部による合焦距離の調整が適切でない可能性があることを示す情報を出力する出力部とを備える。
【０００６】
条件判断部は、合焦距離調整部が撮像部の合焦距離を自動的に調整した合焦点において、撮像部と被写体との距離が予め定められた範囲内であるという条件に適合するか否かを判断し、出力部は、撮像部と被写体との距離が予め定められた範囲内であるという条件に適合しないと判断した場合に、撮像部が撮像した画像に対応づけて、合焦距離調整部による合焦距離の調整が適切でない可能性があることを示す情報を出力してよい。
【０００７】
撮像部の撮像領域内の予め定められた複数の合焦点において、撮像部と被写体との距離を測定する測距部と、測距部が測定した距離、及び撮像部の撮像領域における複数の合焦点の位置に基づいて、複数の合焦点のうちから予め定められたアルゴリズムによって１つの合焦点を選択する合焦点選択部とをさらに備え、合焦距離調整部は、合焦点選択部が選択した合焦点で被写体に合焦させるべく撮像部の合焦距離を自動的に調整してよい。
【０００８】
本発明の第２の形態における撮像方法は、画像を撮像する撮像部において画像を撮像させるべき旨の指示を受け付ける撮像指示受付段階と、撮像指示受付段階において指示が受け付けられた場合に、撮像部の撮像領域内の予め定められた合焦点で被写体に合焦させるべく撮像部の合焦距離を自動的に調整する合焦距離調整段階と、合焦距離調整段階において合焦距離を自動的に調整された後に、撮像部に画像を撮像させる撮像制御段階と、合焦距離調整段階において撮像部の合焦距離を自動的に調整した合焦点において、撮像部と被写体との位置関係が予め定められた条件に適合するか否かを判断する条件判断段階と、条件判断段階において予め定められた条件でないと判断された場合に、撮像部が撮像した画像に対応づけて、合焦距離調整段階における合焦距離の調整が適切でない可能性があることを示す情報を出力する出力段階とを備える。
【０００９】
本発明の第３の形態によると、画像を撮像する撮像装置用のプログラムであって、当該撮像装置を、画像を撮像する撮像部、撮像部に画像を撮像させるべき旨の指示を受け付ける撮像指示受付部、撮像指示受付部が指示を受け付けた場合に、撮像部の撮像領域内の予め定められた合焦点で被写体に合焦させるべく撮像部の合焦距離を自動的に調整する合焦距離調整部、合焦距離調整部が合焦距離を自動的に調整した後に、撮像部に画像を撮像させる撮像制御部、合焦距離調整部が撮像部の合焦距離を自動的に調整した合焦点において、撮像部と被写体との位置関係が予め定められた条件に適合するか否かを判断する条件判断部、条件判断部が予め定められた条件でないと判断した場合に、撮像部が撮像した画像に対応づけて、合焦距離調整部による合焦距離の調整が適切でない可能性があることを示す情報を出力する出力部として機能させる。
【００１０】
本発明の第４の形態における画像管理装置は、撮像装置が撮像した画像を、画像の撮像時において撮像装置の合焦距離が調整された合焦点の画像における位置に対応づけて格納する画像格納部と、画像格納部が格納している画像に含まれる、予め定められたオブジェクトの領域を抽出するオブジェクト領域抽出部と、オブジェクト領域抽出部が抽出したオブジェクトの領域の中に、画像格納部が格納している画像に対応づけられた合焦点の位置が含まれるか否かを判断する条件判断部と、オブジェクト領域抽出部が抽出したオブジェクトの領域の中に、画像格納部が格納している画像に対応づけられた合焦点の位置が含まれないと条件判断部が判断した場合に、画像格納部が格納している画像に対応づけて、撮像時における合焦距離の調整が適切でない可能性があることを示す情報を出力する出力部とを備える。
【００１１】
本発明の第５の形態における画像管理方法は、撮像装置が撮像した画像を、画像の撮像時において撮像装置の合焦距離が調整された合焦点の画像における位置に対応づけて格納する画像格納段階と、画像格納段階において格納されている画像に含まれる、予め定められたオブジェクトの領域を抽出するオブジェクト領域抽出段階と、オブジェクト領域抽出段階において抽出されたオブジェクトの領域の中に、画像格納段階において格納されている画像に対応づけられた合焦点の位置が含まれるか否かを判断する条件判断段階と、オブジェクト領域抽出段階において抽出されたオブジェクトの領域の中に、画像格納段階において格納されている画像に対応づけられた合焦点の位置が含まれないと条件判断段階において判断された場合に、画像格納段階において格納されている画像に対応づけて、撮像時における合焦距離の調整が適切でない可能性があることを示す情報を出力する出力段階とを備える。
【００１２】
本発明の第６の形態によると、画像管理装置用のプログラムであって、画像管理装置を、撮像装置が撮像した画像を、画像の撮像時において撮像装置の合焦距離が調整された合焦点の画像における位置に対応づけて格納する画像格納部、画像格納部が格納している画像に含まれる、予め定められたオブジェクトの領域を抽出するオブジェクト領域抽出部、オブジェクト領域抽出部が抽出したオブジェクトの領域の中に、画像格納部が格納している画像に対応づけられた合焦点の位置が含まれるか否かを判断する条件判断部、オブジェクト領域抽出部が抽出したオブジェクトの領域の中に、画像格納部が格納している画像に対応づけられた合焦点の位置が含まれないと条件判断部が判断した場合に、画像格納部が格納している画像に対応づけて、撮像時における合焦距離の調整が適切でない可能性があることを示す情報を出力する出力部として機能させる。
【００１３】
なお、上記の発明の概要は、本発明の必要な特徴の全てを列挙したものではなく、これらの特徴群のサブコンビネーションもまた、発明となりうる。
【発明の効果】
【００１４】
本発明によれば、オートフォーカス撮影で焦点を自動的に合わせることができずに撮像した画像であることをユーザに適切に通知することができる撮像装置を提供することができる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、一実施形態に係る画像管理システム１３０の利用環境の一例を示す。画像管理システム１３０は、撮像装置１００、画像管理装置１１０、及びネットワーク１５０を備える。撮像装置１００は、被写体をオートフォーカス撮影して画像を取得する。このとき、撮像装置１００は、フォーカス調整によってフォーカス可能な合焦点が存在しなかった場合に、撮像して得られた画像とともにフォーカスエラーである旨を撮像装置１００のモニタ画面に表示する。そして、撮像装置１００は、タグ情報に含まれる非プリント推奨画フラグを立てて、当該タグ情報を当該画像に付帯して当該画像を記録する。また、撮像装置１００は、フォーカス調整によってフォーカス可能な合焦点が存在した場合には、タグ情報に含まれる非プリント推奨画フラグを立てずに、当該タグ情報を当該画像に付帯して当該画像を記録する。
【００１７】
そして、ユーザ１９０が撮像装置１００で画像を再生したりＤＰＯＦ設定したりする場合に、表示される画像に付帯されたタグ情報の非プリント推奨画フラグが立っているか否かを判断して、非プリント推奨画フラグが立っている場合には、プリント非推奨である旨の表示とともに画像を撮像装置１００のモニタ画面に表示する。
【００１８】
また、撮像装置１００がネットワーク１５０を通じて画像管理装置１１０に画像を送信することによって、画像管理装置１１０は撮像装置１００から画像を受け取る。そして、例えばユーザ１９０が画像管理装置１１０を用いて画像を再生したりＤＰＯＦ設定したりする場合に、撮像装置１００から受け取った画像に付帯されたタグ情報に含まれる非プリント推奨画フラグが立っているか否かを判断する。画像管理装置１１０は、非プリント推奨画フラグが立っている場合には、プリント非推奨である旨の表示とともに画像を画像管理装置１１０のディスプレイに表示する。
【００１９】
これにより、オートフォーカス撮影によって良好な画質の画像が撮像されたか否かを、ユーザ１９０は画像管理装置１１０及び画像管理システム１３０により瞬時に判断することができる。したがって、ユーザ１９０が画質が十分でない画像を無駄にプリントしてしまうことを未然に防ぐことができる。
【００２０】
なお、画像管理装置１１０は、半導体メモリ等の着脱可能な記録媒体に画像を記録してよく、画像管理装置１１０は、当該記録媒体を通じて画像を取得してよい。撮像装置１００は、デジタルカメラであってよいし、移動電話又はＰＤＡのような撮像機能付きの携帯情報端末であってよい。なお、画像管理装置１１０は、フォトショップ等の店舗等に設けられたキオスク端末又はパーソナルコンピュータ等のコンピュータであってよいし、移動電話又はＰＤＡのような携帯情報端末、若しくは撮像装置１００以外の撮像装置であってよい。
【００２１】
図２は、撮像装置１００のブロック構成の一例を示す。撮像装置１００は、撮像指示受付部２００、撮像部２１０、撮像制御部２１２、合焦距離調整部２２０、合焦点選択部２２２、測距部２２４、コントラスト値変化算出部２２６、合焦点特定部２２８、条件判断部２３０、オブジェクト領域抽出部２４０、構図特定部２５０、一致度算出部２５２、出力部２６０、及び画像格納部２７０を備える。
【００２２】
撮像部２１０は、被写体の画像を撮像する。撮像指示受付部２００は、撮像部２１０に画像を撮像させるべき旨の指示を受け付ける。撮像指示受付部２００は、ユーザからのレリーズ指示を受け付けるレリーズボタンであってよい。
【００２３】
合焦距離調整部２２０は、撮像指示受付部２００が指示を受け付けた場合に、撮像部２１０の撮像領域内の予め定められた合焦点で被写体に合焦させるべく撮像部２１０の合焦距離を自動的に調整する。撮像制御部２１２は、合焦距離調整部２２０が合焦距離を自動的に調整した後に、撮像部２１０に画像を撮像させる。
【００２４】
条件判断部２３０は、合焦距離調整部２２０が撮像部２１０の合焦距離を自動的に調整した合焦点において、撮像部２１０と被写体との位置関係が予め定められた条件に適合するか否かを判断する。例えば、条件判断部２３０は、合焦距離調整部２２０が撮像部２１０の合焦距離を自動的に調整した合焦点において、撮像部２１０と被写体との距離が予め定められた範囲内であるという条件に適合するか否かを判断する。
【００２５】
そして、出力部２６０は、条件判断部２３０が予め定められた条件でないと判断した場合に、撮像部２１０が撮像した画像に対応づけて、合焦距離調整部２２０による合焦距離の調整が適切でない可能性があることを示す情報を出力する。例えば、出力部２６０は、撮像部２１０と被写体との距離が予め定められた範囲内であるという条件に適合しないと判断した場合に、撮像部２１０が撮像した画像に対応づけて、合焦距離調整部２２０による合焦距離の調整が適切でない可能性があることを示す情報を出力する。
【００２６】
測距部２２４は、撮像部２１０の撮像領域内の予め定められた複数の合焦点において、撮像部２１０と被写体との距離を測定する。そして、合焦点選択部２２２は、測距部２２４が測定した距離、及び撮像部２１０の撮像領域における複数の合焦点の位置に基づいて、複数の合焦点のうちから予め定められたアルゴリズムによって１つの合焦点を選択する。そして、合焦距離調整部２２０は、合焦点選択部２２２が選択した合焦点で被写体に合焦させるべく撮像部２１０の合焦距離を自動的に調整する。
【００２７】
具体的には、コントラスト値変化算出部２２６は、撮像部２１０の合焦距離を段階的に変化させながら撮像部２１０に複数の予備画像を撮像させ、段階的に撮像された複数の予備画像におけるコントラスト値の変化を算出する。そして、合焦距離調整部２２０は、コントラスト値変化算出部２２６が算出したコントラスト値の変化が極大値となるときの撮像部２１０の合焦距離に自動的に調整する。そして、条件判断部２３０は、コントラスト変化値算出部が算出したコントラスト値の変化における極大値が１つであるという条件に適合するか否かを判断する。
【００２８】
そして、コントラスト値変化算出部２２６は、撮像部２１０の合焦距離を段階的に変化させながら撮像部２１０に複数の予備画像を撮像させ、段階的に撮像された複数の予備画像において、撮像部２１０の撮像領域内の予め定められた複数の合焦点のそれぞれを含む複数の合焦領域のそれぞれにおけるコントラスト値の変化を算出する。そして、合焦点選択部２２２は、コントラスト値変化算出部２２６が算出した複数の合焦領域のそれぞれのコントラスト値の変化、及び撮像部２１０の撮像領域における複数の合焦点の位置に基づいて、複数の合焦点のうちから予め定められたアルゴリズムによって１つの合焦点を選択する。そして、合焦距離調整部２２０は、合焦点選択部２２２が選択した合焦点で被写体に合焦させるべく撮像部２１０の合焦距離を自動的に調整する。
【００２９】
そして、出力部２６０は、合焦点選択部２２２が選択した合焦点の、撮像部２１０の撮像領域における位置を、撮像部２１０が撮像した画像に対応づけて出力する。
【００３０】
なお、合焦点特定部２２８は、複数の合焦点のうち、合焦点選択部２２２が選択した合焦点における被写体までの距離と、複数の合焦点における被写体までの距離との差が、予め定められた範囲内である合焦点を特定する。そして、出力部２６０は、合焦点特定部２２８が特定した合焦点の、撮像部２１０の撮像領域における位置を、撮像部２１０が撮像した画像に対応づけてさらに出力する。これにより、撮像装置１００が合焦させた合焦点以外の合焦点においても十分に鮮明な画像が得られている場合には、その合焦点の位置も画像に記録することができる。例えば、２人の人物が横に並んで撮像装置１００で撮像した場合に、一方の人物にだけ合焦させた場合であっても、撮像装置１００からの距離が略等しければ他方の人物も十分に鮮明な被写体像が得られる。
【００３１】
出力部２６０は、合焦距離調整部２２０による合焦距離の調整が適切でない可能性があることを示す情報を、撮像部２１０が撮像した画像に付帯して出力する。出力部２６０は、プリントを推奨しない旨の非プリント推奨画フラグを画像に付帯して記録媒体に記録したり、ネットワーク１５０を通じて画像管理装置１１０に送信する。
【００３２】
なお、出力部２６０は、合焦距離調整部２２０による合焦距離の調整が適切でない可能性があることを示す用語を含むファイル名を、撮像部２１０が撮像した画像に付与してもよい。例えば、出力部２６０は、画像を記録するファイル名に、プリントを推奨しない旨の「ＮＰＲＮ」という用語を付与する。
【００３３】
また、出力部２６０は、条件判断部２３０が予め定められた条件でないと判断した場合と、条件判断部２３０が予め定められた条件でないと判断した場合とで、撮像部２１０が撮像した画像を異なるディレクトリに格納してもよい。
【００３４】
また、オブジェクト領域抽出部２４０は、撮像部２１０が撮像した画像に含まれる、予め定められたオブジェクトの領域を抽出する。そして、条件判断部２３０は、オブジェクト領域抽出部２４０が抽出したオブジェクトの領域の中に、合焦距離調整部２２０が撮像部２１０の合焦距離を自動的に調整した合焦点が含まれるか否かをさらに判断する。そして、出力部２６０は、条件判断部２３０が予め定められた条件であると判断した場合であっても、オブジェクト領域抽出部２４０が抽出したオブジェクトの領域の中に、合焦距離調整部２２０が撮像部２１０の合焦距離を自動的に調整した合焦点が含まれないと判断した場合に、撮像部２１０が撮像した画像に対応づけて、合焦距離調整部２２０による合焦距離の調整が適切でない可能性があることを示す情報を出力する。
【００３５】
例えば、オブジェクト領域抽出部２４０は、撮像部２１０が撮像した画像に含まれる、人物の領域を抽出する。そして、条件判断部２３０は、オブジェクト領域抽出部２４０が抽出した人物の領域の中に、合焦距離調整部２２０が撮像部２１０の合焦距離を自動的に調整した合焦点が含まれるか否かをさらに判断する。そして、出力部２６０は、条件判断部２３０が予め定められた条件であると判断した場合であっても、オブジェクト領域抽出部２４０が抽出した人物の領域の中に、合焦距離調整部２２０が撮像部２１０の合焦距離を自動的に調整した合焦点が含まれないと判断した場合に、撮像部２１０が撮像した画像に対応づけて、合焦距離調整部２２０による合焦距離の調整が適切でない可能性があることを示す情報を出力する。
【００３６】
なお、条件判断部２３０は、オブジェクト領域抽出部２４０が人物を抽出したことを条件として、抽出した人物の領域の中に、合焦距離調整部２２０が撮像部２１０の合焦距離を自動的に調整した合焦点が含まれるか否かをさらに判断してよい。そして、出力部２６０は、条件判断部２３０が予め定められた条件であると判断した場合であっても、オブジェクト領域抽出部２４０が人物を抽出した場合に、抽出された人物の領域の中に、合焦距離調整部２２０が撮像部２１０の合焦距離を自動的に調整した合焦点が含まれないと判断した場合に、撮像部２１０が撮像した画像に対応づけて、合焦距離調整部２２０による合焦距離の調整が適切でない可能性があることを示す情報を出力する。なお、出力部２６０は、条件判断部２３０が予め定められた条件であると判断した場合において、オブジェクト領域抽出部２４０が人物を抽出していない場合には、合焦距離の調整が適切でない可能性があることを示す情報を出力しなくてよい。このように、撮像装置１００は、合焦点に人物が含まれない画像を、合焦距離の調整が適切でない可能性があることを示す情報とともに出力することができる。このため、ユーザにとって望ましくない被写体に自動的に合焦された画像を、プリントを推奨しない画像であるとしてユーザに知らせることができる。
【００３７】
画像格納部２７０は、撮像装置１００が撮像した複数の画像を格納している。例えば、画像格納部２７０は、条件判断部２３０が予め定められた条件であるか否かの判断結果を、画像に対応づけて格納している。そして、一致度算出部２５２は、画像格納部２７０が格納している複数の画像のうち、条件判断部２３０が予め定められた条件でないと判断した第１画像と、条件判断部２３０が予め定められた条件であると判断した第２画像との間で、画像の構図の一致度を算出する。そして、出力部２６０は、一致度算出部２５２が算出した一致度が予め定められた値より大きい場合には、第１画像を出力せずに第２画像を出力する。例えば、出力部２６０は、一致度算出部２５２が算出した一致度が予め定められた一致度より大きい場合には、第１画像を記録せずに第２画像を記録してよい。
【００３８】
具体的には、オブジェクト領域抽出部２４０は、画像格納部２７０が格納している画像に含まれるオブジェクトを抽出する。そして、構図特定部２５０は、オブジェクト抽出部が抽出したオブジェクトの構図を特定する。例えば、構図特定部２５０は、オブジェクト抽出部が抽出したオブジェクトの画像上の位置を特定する。そして、一致度算出部２５２は、画像格納部２７０が格納している複数の画像のうち、条件判断部２３０が予め定められた条件でないと判断した第１画像と、条件判断部２３０が予め定められた条件であると判断した第２画像との間で、オブジェクト領域抽出部２４０が抽出したオブジェクト及び構図特定部２５０が特定した構図の一致度を算出する。例えば、オブジェクト領域抽出部２４０はエッジ抽出によってオブジェクトの輪郭を抽出し、一致度算出部２５２は、オブジェクト領域抽出部２４０が抽出した輪郭についてパターンマッチングすることによってオブジェクトの一致度と、構図特定部２５０によって特定された画像上におけるオブジェクトの位置の一致度との和を、オブジェクト及び構図の一致度として算出してよい。
【００３９】
また、画像格納部２７０は、撮像装置１００が撮像した画像を、画像の撮像時において撮像装置１００の合焦距離が調整された合焦点の画像における位置に対応づけて格納する。オブジェクト領域抽出部２４０は、画像格納部２７０が格納している画像に含まれる、予め定められたオブジェクトの領域を抽出する。条件判断部２３０は、オブジェクト領域抽出部２４０が抽出したオブジェクトの領域の中に、画像格納部２７０が格納している画像に対応づけられた合焦点の位置が含まれるか否かを判断する。そして、出力部２６０は、オブジェクト領域抽出部２４０が抽出したオブジェクトの領域の中に、画像格納部２７０が格納している画像に対応づけられた合焦点の位置が含まれないと条件判断部２３０が判断した場合に、画像格納部２７０が格納している画像に対応づけて、撮像時における合焦距離の調整が適切でない可能性があることを示す情報を出力する。このような制御により、撮像装置１００は、画像の撮像直後だけでなく、複数の画像を撮像した後に複数の画像を順次再生したりサムネイル表示したりＤＰＯＦ設定したりするときに、その画像をオートフォーカス撮影した時に所定の条件を満たしていない場合には、その画像の合焦距離の調整が適切でない可能性があることをユーザに知らせることができる。なお、本実施形態における撮像装置１００の各構成要素のうち、撮像機能に関する機能を除く各構成要素は、画像管理装置１１０として機能することができる。例えば、画像管理装置１１０は、画像格納部２７０、条件判断部２３０、構図特定部２５０、一致度算出部２５２、オブジェクト領域抽出部２４０、及び出力部２６０を備えてよい。
【００４０】
図３は、撮像装置１００による撮像フローの一例を示す。ユーザ１９０によって撮像指示受付部２００が半押しされると（Ｓ３１０）、合焦距離調整部２２０は、合焦距離を自動的に調整した合焦位置を検出する（Ｓ３１２）。そして、ユーザ１９０によってレリーズボタンが全押しされると（Ｓ３１４）、撮像制御部２１２が撮像部２１０に撮像を指示することによって撮像部２１０が被写体の画像を撮像する（Ｓ３１６）。
【００４１】
そして、条件判断部２３０が、撮像部２１０と被写体との位置関係が予め定められた条件に適合しているか否かに応じて、合焦エラーが生じたか否かを判断する（Ｓ３２０）。Ｓ３２０では、例えば撮像部２１０と被写体との位置関係が予め定められた条件に適合していない場合に合焦エラーとし、撮像部２１０と被写体との位置関係が予め定められた条件に適合している場合に合焦エラーでないと判断される。
【００４２】
Ｓ３２０において、合焦エラーが生じていないと判断された場合には、画像に付帯されるタグ情報に、合焦された合焦点の位置を付加する（Ｓ３２２）。そして、条件判断部２３０は、合焦点がオブジェクト領域抽出部２４０が抽出した人物の顔の中に含まれるか否かを判断する（Ｓ３３０）。Ｓ３３０において、合焦点がオブジェクト領域抽出部２４０が抽出した人物の顔の中に含まれると条件判断部２３０が判断した場合には、タグ情報における、プリントを推奨する旨を示すプリント推奨画フラグを立てる（Ｓ３３２）。そして、出力部２６０は、画像にタグ情報を付帯して記録する（Ｓ３３４）。
【００４３】
なお、Ｓ３２０において合焦エラーと判断された場合又はＳ３３０において合焦点が顔の中に含まれないと判断された場合には、タグ情報における、プリントを推奨しない旨を示す非プリント推奨画フラグを立てる（Ｓ３４０）。
【００４４】
図４は、出力部２６０が記録するファイル構成の一例を示す。撮像装置１００は、最上位のディレクトリ「ＤＣＩＭ」の下に、撮像装置１００が撮像した画像が記録される「１００＿ｆｕｊｉ」というディレクトリを作成する。そして、撮像装置１００は、「１００＿ｆｕｊｉ」の下位に、撮像した画像を記録する。具体的には、撮像装置１００は、撮像する毎にカウンタをインクリメントしていき、カウンタの値を用いて４桁の文字列ＮＮＮＮを生成する。そして、出力部２６０は、生成した文字列ＮＮＮＮを用いて、画像のファイル名の一部となる「ＤＳＣＮＮＮＮ」を生成する。そして、出力部２６０は、合焦エラーでないと判断された画像を、「ＤＳＣＮＮＮＮ」に拡張子が付与された「ＤＳＣＮＮＮＮ．ｊｐｇ」というファイル名で記録する。一方、出力部２６０は、合焦エラーであると判断された画像のファイル名としては、「ＤＳＣＮＮＮＮ」にさらに、プリントを推奨しない旨の識別子「＿ＮＰＲＮ」という文字と、拡張子とを付与することによって、「ＤＳＣＮＮＮＮ＿ＮＰＲＮ．ｊｐｇ」を生成する。そして、出力部２６０は、合焦エラーであると判断された画像を、「ＤＳＣＮＮＮＮ＿ＮＰＲＮ．ｊｐｇ」というファイル名で記録する。
【００４５】
このように出力することによって、ユーザ１９０は、合焦エラーが生じた画像であるか否かを、画像を開くことなくファイル名によって一目で識別することができる。また、画像管理装置１１０は、各画像ファイルをオープンして画像情報を参照する必要はなく、ディレクトリ情報を参照するだけで、合焦エラーが生じた画像であるか否かを容易に判断することができる。
【００４６】
図５は、撮像領域５００における合焦点の一例を示す。撮像領域５００には、複数の合焦点５１０、５２０、５３０、５４０、及び５５０が予め定められている。合焦点選択部２２２は、合焦距離調整部２２０に合焦距離を調整させる合焦点を選択する。
【００４７】
図６は、コントラスト値変化算出部２２６によって算出されたコントラスト値の変化の一例を示す。コントラスト値変化算出部２２６は、撮像部２１０の制御値を変化させて、例えば合焦距離を段階的に変化させて得られた各予備画像のそれぞれにおいて、図５に示したような予め定められた合焦点５１０、５２０、５３０、５４０、及び５５０を含む所定の領域内のコントラスト値の変化を算出する。
【００４８】
変化６１０、６２０、６３０、６４０は、制御値に対するコントラスト値の依存性を示す。変化６１０では、制御された制御値の範囲内でただ１つの極大値を有している。一方、変化６２０でのコントラスト値変化で示される領域は、制御された制御値の範囲内ではコントラスト値が単調増加していて極大値を有していない。変化６３０は、制御された制御値の範囲内においてコントラスト値は略一定の値を持ち、極大値を有さない。また、変化６４０では、制御された制御値の範囲内で２つの略同一の極大値を有する。このようなコントラスト値変化について、変化６１０のような極大値を１つだけ有する領域が、合焦に適する領域であると判断され、合焦点選択部２２２は、当該領域に含まれる対応する合焦点を選択する。そして、合焦距離調整部２２０は、選択された合焦点で被写体に合焦させるよう合焦距離を自動的に調整する。そして、条件判断部２３０は、各領域が変化６１０のような極大値を１つだけ有するコントラスト値変化を持つという条件に適合するか否かを判断する。そして、当該条件に適合する領域が存在しない場合には合焦エラーとされる。
【００４９】
図７は、合焦点特定部２２８が他の合焦点を特定する特定方法を示す。本図の例では、合焦点特定部２２８は、コントラスト値変化算出部２２６が算出したコントラスト値変化に基づいて、合焦点選択部２２２が選択した合焦点における被写体までの距離と、複数の合焦点における被写体までの距離との差が、予め定められた範囲内である合焦点を特定する。合焦距離調整部２２０は、変化７１０で示されるコントラスト値変化の極大値が得られる制御値αにより合焦距離を調整する。このとき、変化７３０で示されるコントラスト値変化においても、制御値αにおいて極大値に近いコントラスト値が得られる。この場合、合焦点特定部２２８は、変化７３０が得られた領域に対応する合焦点も被写体までの距離差が予め定められた範囲内である合焦点であるとして特定する。
【００５０】
図８は、画像の再生時における再生フローの一例を示す。条件判断部２３０は、ユーザ１９０によって選択された画像の付帯情報のプリント推奨画フラグが立っているか否かを判断する（Ｓ８１０）。Ｓ８１０においてプリント推奨画フラグが立っていると判断されると、出力部２６０はプリントを推奨する旨を画像とともに表示して（Ｓ８１２）、Ｓ８２０に進む。一方、Ｓ８１０においてプリント推奨画フラグが立っていないと判断されると、出力部２６０はプリントを推奨しない旨を画像とともに表示して（Ｓ８３０）、Ｓ８２０に進む。なお、出力部２６０がプリントを推奨しない旨を表示する場合には、「フォーカスエラー」、「プリント不適」等の文字を画像に重畳して表示してもよいし、その旨を示すマークを画像に重畳して表示してもよい。また、出力部２６０は、プリントを推奨しない旨を示すランプを点滅させたり、合焦エラーが生じた画像の明るさを合焦エラーが生じていない画像より暗くしてもよい。
【００５１】
そして、撮像装置１００は、Ｓ８２０において次の画像が選択されたと判断されるとＳ８１０に処理を移行し、Ｓ８２０において次の画像が選択されない場合には、処理を終了する。なお、Ｓ８１０において、条件判断部２３０は、画像の付帯情報の非プリント推奨画フラグが立っているか否かを判断し、非プリント推奨画フラグが立っていない場合にＳ８１２に進み、非プリント推奨画フラグが立っている場合にＳ８３０に進んでもよいことは言うまでもない。
【００５２】
図９は、画像の再生時における再生フローの他の一例を示す。画像のタグ情報に合焦位置が記録されている画像の再生フローの一例を示す。出力部２６０は、画像に付帯されたタグ情報から合焦点を読み込む（Ｓ９１０）。そして、出力部２６０は、オブジェクト領域抽出部２４０がエッジ抽出等によって画像から抽出された人物の顔の中に、Ｓ９１０において読み込まれた合焦位置が含まれるか否かを判断する（Ｓ９２０）。
【００５３】
Ｓ９２０において人物の顔の中に合焦位置が含まれると判断されると、出力部２６０はプリントを推奨する旨を画像とともに表示して（Ｓ９２２）、Ｓ９２４に進む。一方、Ｓ９２０において人物の顔の中に合焦位置が含まれないと判断されると、出力部２６０はプリントを推奨しない旨を画像とともに表示して（Ｓ９３０）、Ｓ９２４に進む。そして、撮像装置１００は、Ｓ９２４において次の画像が選択されたと判断されるとＳ９１０に処理を移行し、Ｓ９２４において次の画像が選択されない場合には、処理を終了する。
【００５４】
図１０は、Ｓ３４０における処理の他の一例を示す。構図特定部２５０は、合焦エラーと判断された画像の構図を特定する（Ｓ１０１０）。例えば、構図特定部２５０は、オブジェクト領域抽出部２４０が抽出した複数のオブジェクトの相互の位置関係を構図として特定する。そして、一致度算出部２５２は、特定した構図と、他の画像の構図との一致度を算出し、算出した一致度が予め定められた値より大きい他の画像が存在するか否かを判断する（Ｓ１０１２）。Ｓ１０１２において、算出した一致度が予め定められた値より大きい他の画像が存在しないと判断されると、タグ情報における非プリント推奨画フラグを立てて（Ｓ１０１４）、Ｓ３３４に処理を進める。
【００５５】
一方、Ｓ１０１２において、算出した一致度が予め定められた一致度より大きい他の画像が存在すると判断されると、タグ情報における、画像を表示しない旨の非表示フラグを立てて（Ｓ１０１６）、Ｓ３３４に処理を進める。例えば連写撮影した場合には類似した構図の画像が多数撮影される。このような場合、上記のような制御によると、そのような画像の再生時に、合焦エラーの生じていない画像のみを表示し、合焦エラーが生じたと判断された画像を表示しないようにすることができる。このため、ユーザ１９０は、撮像装置１００又は画像管理装置１１０を用いることによって、連写された多数の画像を容易に管理することができる。また、ユーザ１９０は、連写することに躊躇することなく、撮像装置１００を用いてどんどん撮影することができる。
【００５６】
図１１は、撮像装置１００に係るコンピュータ１５００のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００５７】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００５８】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介して撮像装置１００と通信し、撮像装置１００にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００５９】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００６０】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介して撮像装置１００に送信される。撮像装置１００に送信されたプログラムは、撮像装置１００においてインストールされて実行される。
【００６１】
撮像装置１００にインストールされて実行されるプログラムは、撮像装置１００を、図１から図１０に関連して説明した、撮像指示受付部２００、撮像部２１０、撮像制御部２１２、合焦距離調整部２２０、合焦点選択部２２２、測距部２２４、コントラスト値変化算出部２２６、合焦点特定部２２８、条件判断部２３０、オブジェクト領域抽出部２４０、構図特定部２５０、一致度算出部２５２、出力部２６０、及び画像格納部２７０として機能させる。
【００６２】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【００６３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００６４】
【図１】撮像装置１００の利用環境の一例を示す図である。
【図２】撮像装置１００のブロック構成の一例を示す図である。
【図３】撮像フローの一例を示す図である。
【図４】ファイル構成の一例を示す図である。
【図５】撮像領域５００における合焦点の一例を示す図である。
【図６】コントラスト値の変化の一例を示す図である。
【図７】他の合焦点を特定する特定方法を説明する図である。
【図８】画像の再生時における再生フローの一例を示す図である。
【図９】画像の再生時における再生フローの他の一例を示す図である。
【図１０】Ｓ３４０における処理の他の一例を示す図である。
【図１１】撮像装置１００に係るコンピュータ１５００のハードウェア構成の一例を示す図である。
【符号の説明】
【００６５】
１００  撮像装置
２００  撮像指示受付部
２１０  撮像部
２１２  撮像制御部
２２０  合焦距離調整部
２２２  合焦点選択部
２２４  測距部
２２６  コントラスト値変化算出部
２２８  合焦点特定部
２３０  条件判断部
２４０  オブジェクト領域抽出部
２５０  構図特定部
２５２  一致度算出部
２６０  出力部
２７０  画像格納部
【図１】
2008113310.tif 000003
【図２】
2008113310.tif 000004
【図３】
2008113310.tif 000005
【図４】
2008113310.tif 000006
【図５】
2008113310.tif 000007
【図６】
2008113310.tif 000008
【図７】
2008113310.tif 000009
【図８】
2008113310.tif 000010
【図９】
2008113310.tif 000011
【図１０】
2008113310.tif 000012
【図１１】
2008113310.tif 000013